(57)【要約】【課題】      切断予定線以外の方向に切断が誘導されることがなく注出口を形成することができて、内容物を最後までスムースに取り出すことができ、しかも生産性の良好な詰替え用袋を提供することを目的とする。【解決手段】  可撓性の積層樹脂フィルムを張り合わせて形成された袋本体に内容物を密封して収納するための詰替え用袋であって、袋本体の一部に切断予定線を備えたノズル状の注出口形成部を設け、且つ、該注出口形成部における該切断予定線に近接するが接しない位置より袋本体中央部方向に延びる少なくとも１本の半切れ線を設けた詰替え用袋とする。【選択図】    図２
2007069930.tif 000002
【特許請求の範囲】
【請求項１】
可撓性の積層樹脂フィルムを貼り合わせて形成された袋本体に内容物を密封して収納するための詰替え用袋であって、袋本体の一部に注出口を開口するための切断予定線を備えた注出口形成部を設け、且つ、該注出口形成部における該切断予定線に近接するが接しない位置より袋本体中央部方向に延びる少なくとも１本の半切れ線を設けてなる詰替え用袋。
【請求項２】
前記切断予定線を、前記注出口形成部を横断して引き裂き可能に設け、前記半切れ線を前記注出口形成部の内容物注出流路に沿って設けてなる請求項１に記載の詰替え用袋。
【請求項３】
前記半切れ線をレーザー光照射により設けてなる請求項１又は２に記載の詰替え用袋。
【請求項４】
前記袋本体が自立性を備え、前記注出口形成部を袋本体の上部にノズル形状で形成した請求項１〜３のいずれかに記載の詰替え用袋。
【発明の詳細な説明】
【技術分野】
【０００１】
本発明は、可撓性の積層樹脂フィルムを貼り合わせて形成された袋本体に内容物を密封して収納するための詰替え用袋に関する。
【背景技術】
【０００２】
可撓性の積層樹脂フィルムを貼り合わせて形成された袋本体の上部の端縁部の一部に注出口形成部を設けた詰替え用袋は、液体、粒体、粉粒体などの流動性を有する内容物を密封して収納するための袋として採用され、内容物を他の容器に移し替えて使用する詰替え用の袋は、廃棄物減量の目的に合致するものとして、多く用いられる傾向にある。
【０００３】
この詰替え用袋においては、注出口形成部を切断して形成した注出口より内容物を注ぎ出す形式が採られており、注出口形成部の端部にあるフィルムを貼り合せたシール部にノッチ（切れ込み）やスリットを形成した切断予定線、又は切断する部分に沿って半切れ線等を形成した切断予定線により手指で引き裂きを容易にしているものが多い。
しかし、このようにして形成した注出口より内容物を注ぎ出す際には、最初の内容物がまだ多く存在する状態では、内容物の流出圧力により注出口が拡がり、比較的スムースに取り出すことができるが、内容物が少なくなってくると、注出口が閉塞気味となり、内容物の取り出しに時間がかかり、又は、内容物を完全に取り出すことが困難となる。
【０００４】
この問題を解決するものとして、特許文献１及び２の如く、注出口では幅と高さが大きく、斜め下方に向かって徐々に幅と高さが小さくなる曲線状の膨らみ部（エンボスライン）を設けたパウチが提案されているが、エンボスラインによる凹凸をつけた部分のみが流路を形成するため、確保された流路は狭い。
また、特許文献３の如く、注出口を形成する両面のフィルムを互いに異なった寸法となるようにヒートシールすることにより、立体的な空隙部を設けたパウチが提案されているが、立体的な空隙部を形状するための成形型を作る必要があり、生産工程も複雑となる。
さらに、特許文献４の如く、注出口を形成するための切断予定線に略直交する複数の半切れ線を設けたパウチが提案されているが、切断予定線に交差して半切れ線が設けられているため、切断予定線を手指で引き裂く際に半切れ線の方向に切断を誘導されてしまって、パウチが裂け易く、適切に切断することは難しい。また、内容物が液体である場合には、注出口から内容液を注出する際に半切れ線の隙間に内容液が毛細管現象で進入しやすく、液垂れしやすい。
【０００５】
【特許文献１】特表２０００−８５８０１号公報
【特許文献２】特開２００１−８０６５６号公報
【特許文献３】特開平１１−３４９００６号公報
【特許文献４】特開２００４−２９９７１８号公報
【発明の開示】
【発明が解決しようとする課題】
【０００６】
本発明は、上記背景技術の問題点に鑑み、切断予定線以外の方向に切断が誘導されることがなく注出口を形成することができて、内容物を最後までスムースに取り出すことができ、しかも生産性の良好な詰替え用袋を提供することを目的とする。
【課題を解決するための手段】
【０００７】
本発明者らは、切断予定線を備えた注出口形成部における、切断予定線に近接するが接しない位置より袋本体中央部方向に延びる少なくとも１本の半切れ線を設けた詰替え用袋とすることにより、その課題を解決しうることを着想した。
即ち本発明は、
可撓性の積層樹脂フィルムを張り合わせて形成された袋本体に内容物を密封して収納するための詰替え用袋であって、袋本体の一部に注出口を開口するための切断予定線を備えた注出口形成部を設け、且つ、該注出口形成部における該切断予定線に近接するが接しない位置より袋本体中央部方向に延びる少なくとも１本の半切れ線を設けた詰替え用袋である。
【発明の効果】
【０００８】
本発明によれば、切断予定線以外の方向に切断が誘導されることがなく注出口を形成することができて、内容物を最後までスムースに取り出すことができ、更に、内容物が液体である場合でも液垂れしにくく、しかも生産性の良好な詰替え用袋を得ることができる。
【発明を実施するための最良の形態】
【０００９】
以下、本発明の詰替え用袋を、図１〜３を参照して説明する。なお、以下の記述において、上下または水平という用語は、図１〜３中の上下または水平を意味する。
図１は、本発明の詰替え用袋の１例を示す正面図であり、詰替え用袋１は、可撓性の積層樹脂フィルムを周縁において張り合わせてシール部８とし、側面部２を有する袋本体３が形成され、袋本体３の上部の端縁部にはノズル状の注出口形成部４が設けられている。
図２は、図１に示す詰替え用袋１の注出口形成部４の近傍を拡大して示す正面図であり、注出口形成部４を横断して切断予定線５が引き裂き可能に設けられ、更に、切断予定線５に近接するが接しない位置６Ｓより袋本体中央部方向に延びる半切れ線６が設けられている。
図３は、図２におけるＡ−Ａ線断面図であって、且つ、内容物が通過している状態を示す図であり、切断予定線５で切断された開口部が両方の面に設けた半切れ線６によって外方に開くことにより、大きな流路７が形成されている。
【００１０】
図１に示した例は、スタンディングパウチ形式の袋であり、下部に空間を形成するための底面部９を有し、且つ、内容物を収納した状態では、上方に行くに従って横断面の断面積が次第に減少する立体形状を形成する。但し、本発明の詰替え用袋はスタンディングパウチ形式の袋である必要はなく、三方シール形式、四方シール形式等の形式の袋でもよいが、スタンディングパウチ形式の袋は、自立可能であるので、取り扱い易く、好ましい形式である。
【００１１】
詰替え用袋１を形成する可撓性の積層樹脂フィルムの素材としては、この種の目的に通常使用される素材のいずれもが使用可能であり、延伸ナイロンフィルム（ONy）、延伸ポリプロピレン（OPP）、無延伸ポリプロピレン（CPP）、直線状低密度ポリエチレン（LLDPE）、高密度ポリエチレン（HDPE）、低密度ポリエチレン（LDPE）、ポリエチレンテレフタレート (PET)、金属蒸着ポリエチレンテレフタレート (VM-PET)等を例示することができる。また、バリヤー性を持たせるために、アルミニウム等の金属フィルムを、上記の樹脂フィルムと共に使用してもよい。
【００１２】
積層樹脂フィルムの層構成も、この種の目的に通常使用される構成のいずれもが採用可能であるが、好ましい層構成としては、外層側より、ONy、PET等からなる基材層と、CPP、LLDPE、 LDPE等からなるシーラント層とを積層した構成及び、それらの基材層とシーラント層との間に、更にOPP、HDPE、VM-PET、金属フィルム等を積層した構成を例示することができる。
具体的には、次の組合せを例示することができる。
(1) 外層側よりONy／OPP／LLDPE
(2) 外層側よりONy／VM-PET／LLDPE
(3) 外層側よりONy／OPP／AL／LLDPE
(4) 外層側よりONｙ／LLDPE／HDPE／LLDPE
尚、詰替え用袋がスタンディングパウチである場合の底部には、次の層構成を例示することができる。
(5) 外層側よりONy／LLDPE
(6) 外層側よりONy／VM-PET／LLDPE
【００１３】
袋本体３の一部に設ける注出口形成部４の位置は、袋本体３の上縁角部（図１、２に示した例）でも、上縁中央部であってもよい。また、形状も、ノズル形状のほか、例えば正面形状（及び背面形状）が四角形の角部に形成されるものであっても良く、ノズル形状についても種々の形状を採用でき、その向きも、設ける位置により、上方向、斜め上方向、横方向のいずれかを選択し得る。
また、注出口形成部４の大きさ（高さ、幅）も、内容物の種類や使用の形態に応じて適当に選択すればよく、詰め替えの対象となる容器の口のサイズに対応した大きさを選択することが好ましい。
【００１４】
切断予定線５は、その位置で注出口形成部４を切断し、注出口を形成するためのものであり、注出口形成部４を横断する形で設けるのが好ましい。切断予定線５は、その両側端部にある袋本体３の周縁部に設けられたシール部１１にＩ字型やＶ字型の切り込み等によるスリット又はノッチを設けて切断が誘導されるラインとして形成することもできるが、好ましくは、注出口形成部４の少なくとも一方の面、好ましくは両方の面に、レーザー光照射等の方法により、不連続又は連続的なハーフカット線として形成する。また、切断予定線５は、一軸延伸フィルムを層構成に含む積層樹脂フィルムを一軸延伸フィルムの延伸方向を開封方向に一致させて使用する手段を採用することが好ましい。尚、切断予定線５の一端又は両端には、切断の開始を容易にするために、上記のＩ字型やＶ字型のノッチを設けた上で上記のハーフカット線を形成したり、上記の一軸延伸フィルムの延伸方向を引き裂き方向に一致させて切断予定線を設けてもよい。
【００１５】
図２に示したように、半切れ線６は切断予定線５に近接するが接しない位置６Ｓより袋本体中央部方向に延びる形で設ける。
注出口形成部４を切断予定線５で切断する際に半切れ線６の方向に切断が誘導されないようにするためには、切断予定線５と半切れ線６とが連続していないこと、即ち、切断予定線５と位置６Ｓとの距離が０より大きいことが必要であるが、連続していない限り、できるだけ近接していることが好ましい。切断が誘導されるのを確実に防ぎ、且つ、注出口を十分に広げるためには、切断予定線５と位置６Ｓとの距離（最短距離）を５〜２５ｍｍとするのが好ましい。
半切れ線６は、上記の位置６Ｓを始点とし、袋本体中央部方向に延びている。必ずしも正確に袋本体中央部に向いている必要はないが、内容物の流れを良くするためには、内容物注出流路に沿って設けるのが好ましい。
半切れ線６の長さは、内容物の流れを良くするためには、少なくとも２０ｍｍであって、袋本体の中央部に至る長さより短い長さであることが好ましい。特に好ましい長さは、２０ｍｍ〜６０ｍｍである。
半切れ線６を設ける方法としては、公知の種々の方法を採用し得るが、正確さ、作業性等の点からは、レーザー光照射による方法が好ましい。
【００１６】
半切れ線６は、１本以上を一方の面にのみ設けてもよいが、注出口を十分に広げて内容物の流路を確実に形成するには、図３に示すように、両方の面に各々１本以上ずつ同数設けるのが好ましく、さらに好ましくは両方の面に対称な位置に設けることが好ましい。
半切れ線６が、例えば、図３の例のように、当該片面で１本である場合には、略中央に設けるのが好ましく、当該片面で複数本ある場合には、略等間隔で、設けるのが好ましい。
半切れ線６は、積層樹脂フィルムの少なくとも最内層を残し、又は、少なくとも最外層を切断する形で設ける。最内層と最外層との中間に１層以上の層（中間層）が存在する場合には、その中間層を切断するか否かは、任意であるが、注出口を十分に広げて内容物の流路を確実に形成するには、図３に示した例の如く、三層構造の最外層及び中間層を切断する形が好ましい。
【実施例】
【００１７】
図１に示すスタンディングパウチ形式の袋を、両側面に、外層側より、厚さ１５μｍのONy層、厚さ２０μｍのOPP層、及び厚さ１３０μｍのLLDPE層が接着剤を介して積層されたフィルムを、底面部に、外層側より、厚さ１５μｍのONy層及び厚さ１３０μｍのLLDPE層が接着剤を介して積層されたフィルムを各々使用して、製作した。袋の主なサイズは、底幅（内容物を収納した状態でのシール部を含まない横幅の長さ）が７５ｍｍ、横幅が１４０ｍｍ、高さが（注出口形成部を除く部分の高さ）２１０ｍｍ、注出口形成部を含めた高さが２４０ｍｍである。なお、底幅以外のサイズは、何れも、幅７ｍｍのシール部２箇所を含むサイズである。
【００１８】
注出口形成部４の先端から１５ｍｍの位置に、水平方向に、ミシン目状のハーフカット線として長さ５０ｍｍの切断予定線５を、レーザー光照射により設けた。
また、切断予定線５の中央から５ｍｍ下がった位置から、袋本体中央部方向に延びる連続的なハーフカット線からなる、長さ２０ｍｍの半切れ線６を、レーザー光照射により設けた。ハーフカット線は、最内層を除く２層を切断する形とした。
この詰替え用袋に、８５０ｇの粉末洗剤を収納し、密封したのち、注出口形成部４を切断予定線５から引き裂いたが、半切れ線６方向に切断が誘導されることなく切断され、更に、内容物の注出を開始すると、最初に注出する内容物の圧力で注出口７が開口し、内容物の全てが出終わるまで、注出口７は形を保持して閉塞はなかった。
また、内容物を液体の界面活性剤に代えて同様の操作を行ったが、注出口７からの液垂れは生じなかった。
【産業上の利用可能性】
【００１９】
本発明の詰替え用袋は、洗浄剤、界面活性剤、化粧品、食品等の、液体、粒体、粉粒体を収納するための袋として利用し、内容物の移し換えを行うために用いる。
【図面の簡単な説明】
【００２０】
【図１】本発明の詰替え用袋の１例を示す正面図である。
【図２】図１に示す詰替え用袋の一部を拡大して示す正面図である。
【図３】図２におけるＡ−Ａ線断面図である。
【符号の説明】
【００２１】
１：詰替え用袋
２：側面部
３：袋本体
４：注出口形成部
５：切断予定線
６：半切れ線
６Ｓ：半切れ線開始位置
７：注出口
８：シール部
９：底面部
【図１】
2007069930.tif 000003
【図２】
2007069930.tif 000004
【図３】
2007069930.tif 000005